(57)【特許請求の範囲】
【請求項１】
装置筐体に絶縁体を介して設けられた金属製の支持体と、光源の点灯制御をする点灯回路が設けられた回路基板とを有し、この回路基板を上記支持体の平面部に沿って取り付けた電子内視鏡用光源装置において、
上記回路基板及び上記支持体の外周を、上記装置筐体に対し絶縁体を介して設けられた金属製ケース体で覆い、
所定の耐圧を有し、上記点灯回路のスイッチ動作によって生じる高周波ノイズを除去するためのコンデンサを、上記支持体と上記筐体との間に直接的に接続し、上記支持体に誘起・蓄積されたノイズ電流を当該支持体から筐体グラウンドに落とすようにしたことを特徴とする電子内視鏡用光源装置のノイズ除去構造。
【発明の詳細な説明】
【０００１】
【発明の属する技術分野】
本発明は電子内視鏡用光源装置、特にキセノンランプを点灯制御する光源装置から発生するノイズを除去するための構造に関する。
【０００２】
【従来の技術】
電子内視鏡装置は、電子スコープの先端に配設された固体撮像素子であるＣＣＤ（Ｃｈａｒｇｅ  Ｃｏｕｐｌｅｄ  Ｄｅｖｉｃｅ）により、被観察体内を撮像するものであり、この被観察体内を撮像するための照射光は光源装置から先端部まで配設されたライトガイドによって供給される。
【０００３】
図３には、従来の光源装置の一例の構成が示されており、この光源装置の筐体１内には、キセノンランプ２が収納配置されたランプハウス（ケース体）３が設けられ、このランプハウス３にイグナイター４を介して点灯回路（部材）５が設けられる。この点灯回路５は、Ｌ字状でアルミニウムからなる支持体６で支持された回路基板７に取り付けられ、上記支持体６は筐体１の底面板１Ａにベークライト等の絶縁板８を介して取り付けられる。
【０００４】
即ち、この絶縁板８は上記点灯回路５（例えば一次側）と筐体１との間に、４ｋＶ以上の耐圧を維持しており、この絶縁板８により筐体１側の安全性を確保している。なお、図示されるように、筐体１の前面パネルに電子スコープ側のライトガイドコネクタを接続するコネクタ受け部９が配設される。
【０００５】
図４には、上記点灯回路５で形成される信号波形が示されており、図（Ａ）で示される制御パルスに基づいてスイッチング動作が行われると、図（Ｂ）に示されるスイッチング電流が１１０ｋＨｚ程度の高い周波数で形成される。このスイッチング電流は、図３のイグナイター４に与えられ、ここでイグナイター放電を起こすことにより、ランプハウス３内のキセノンランプ２が点灯する。そして、このキセノンランプ２の光は、コネクタ受け部９に配置された電子スコープ側コネクタのライトガイドへ供給され、このライトガイドを介して先端部まで導かれることになり、この光照射によりＣＣＤの撮像が可能となる。
【０００６】
【発明が解決しようとする課題】
ところで、従来の上記光源装置では、図４（Ｂ）で示した点灯回路５のスイッチング電流によって高周波ノイズが発生し、このノイズが映像等に悪影響を及ぼすという問題がある。即ち、図５に上記点灯回路５のノイズの発生状態を示しており、この図から理解されるように、スイッチング電流が１１０ｋＨｚ程度の周波数で形成されることから、１１０ｋＨｚの整数倍の周波数のノイズが生じ、またスイチッグ電流が比較的大きいことから、このノイズは数十ＭＨｚの高い周波数領域まである程度のレベルを維持するという特性がある。しかも、光源装置の点灯回路５は、映像信号を処理するプロセッサ回路とは回路自体が近接していないことから、この点灯回路５で発生するノイズの対策が積極的に採られていないのが現状である。
【０００７】
本発明は上記問題点に鑑みてなされたものであり、その目的は、光源の点灯回路から発生する高周波ノイズを良好に除去することができる電子内視鏡用光源装置のノイズ除去構造を提供することにある。
【０００８】
【課題を解決するための手段】
上記目的を達成するために、第１請求項記載の発明は、装置筐体に絶縁体を介して設けられた金属製の支持体と、光源の点灯制御をする点灯回路が設けられた回路基板とを有し、この回路基板を上記支持体の平面部に沿って取り付けた電子内視鏡用光源装置において、上記回路基板及び上記支持体の外周を、上記装置筐体に対し絶縁体を介して設けられた金属製ケース体で覆い、所定の耐圧を有し、上記点灯回路のスイッチ動作によって生じる高周波ノイズを除去するためのコンデンサを、上記支持体と上記筐体との間に直接的に接続し、上記支持体に誘起・蓄積されたノイズ電流を当該支持体から筐体グラウンドに落とすようにしたことを特徴とする。
【０００９】
上述の点灯回路では、スイッチング電流を用いることにより、金属製支持体等に誘導・蓄積され、特にこの支持体から高周波ノイズが発生することになる。そこで、本発明ではノイズ除去用コンデンサとして、スイチング電流により生じる１１０ｋＨｚから数十ＭＨｚの周波数で低インピーダンスとなるコンデンサを用いている。従って、このコンデンサを介して、上記支持体に誘起・蓄積されたノイズ電流は筐体グラウンドへ落とされる。
【００１０】
【発明の実施の形態】
図１及び図２には、実施形態の一例である電子内視鏡用光源装置のノイズ除去構造が示されており、当該例の光源装置の全体構成は、図３で示したものと同様であり、ここでは点灯回路部のみの構成を説明する。図１は、点灯回路部の正面図、図２はその側面図であり、図示の筐体１１はグラウンド（フレームグラウンドＧＮＤ）へ接地される。この筐体１１の底面部には、ベークライト等の絶縁板１２が固定ネジで取り付けられ、この絶縁板１２の上に、アルミニウムからなるＬ字状の支持体１４が固定ネジで取り付けられる。
【００１１】
この支持体１４には、ベークライト等からなる回路基板１５がネジ等で取り付けられ、この回路基板１５にＡＣ電源が接続された点灯回路（複数部材）１６が実装される。この点灯回路１６では、トランジスタ等のスイッチ回路が設けられ、これによってスイッチング電流が形成され、このスイッチング電流は、図３と同様にイグナイターを介してキセノンランプに与えられる。
【００１２】
このような点灯回路部において、上記アルミニウムからなる支持板１４と筐体１１との間に、ノイズ除去用コンデンサ１８（このコンデンサとしては各種の構造のものを使用できる）を接続する。このコンデンサ１８は、４ｋＶ以上の耐圧を有し、上述したように１１０ｋＨｚの整数倍の周波数で低インピーダンスとなるもの、或いは数十ＭＨｚ以下の周波数で低インピーダンスとなるものが用いられる。そして、このコンデンサ１８は、その足部（リード線）を可能なかぎり短くすると共に、支持板１４と筐体１１に対し直接的に接続し、足部や取付け金具等が持つインピーダンス成分を可能な限り少なくしている。
【００１３】
また、上記ノイズ除去用コンデンサ１８を接続すると共に、当該例では、点灯回路１６の回路基板１５を支持する支持体１４の全体を電気的シールド体としての金属製ケース体２０で覆っている。そして、このケース体２０は上記支持体１４に電気的に接続する等により、ノイズ電流をフレームグラウンドへ落としている。
【００１４】
当該例は以上の構造からなり、このような光源装置では、上記の点灯回路１６で、図４で示したスイッチング電流が形成され、このスイッチング電流をイグナイターへ与えることにより、イグナイター放電を起こし、これによってキセノンランプを点灯させることができる。そして、この際には、スイッチング電流の供給によってノイズが発生し、アルミニウムの支持体１４にノイズ電流が誘導・蓄積される。
【００１５】
しかし、当該例では支持体１４に誘導される高周波ノイズ電流は、コンデンサ１８によって良好に捉えられ、筐体１１のグラウンドに落とされる。また、支持体１４、点灯回路１５及び回路基板１６は、ケース体２０で覆われており、これによっても支持体１４や点灯回路１５等から輻射するノイズを除去し、外部へ漏出させないという利点がある。なお、上記コンデンサ１８は４ｋＶ以上の耐圧を有しており、絶縁板１２で維持している耐圧を損なうことがない。
【００１６】
【発明の効果】
以上説明したように、本発明によれば、点灯回路基板を金属製支持体の平面部に沿って取り付ける電子内視鏡用光源装置において、上記点灯回路基板及び支持体の外周を、装置筐体に対し絶縁体を介して設けられた金属製ケース体で覆い、また点灯回路のスイッチ動作によって生じる高周波ノイズを除去するためのコンデンサを、上記支持体と装置筐体との間に接続し、支持体に誘起・蓄積するノイズ電流を筐体グラウンドに落とすようにしたので、点灯回路から発生する高周波ノイズを良好に除去できる。
【００１７】
また、上記点灯回路の外周に、シールドケース体を配置したので、点灯回路部から輻射するノイズを二重の対策により確実に除去できるという利点がある。
【図面の簡単な説明】
【図１】本発明の実施形態の一例に係る電子内視鏡用光源装置（点灯回路部）のノイズ除去構造を示す正面図である。
【図２】図１の点灯回路部の側面図である。
【図３】従来の電子内視鏡用光源装置の構成を示す斜視図である。
【図４】光源装置の点灯回路で用いられる信号を示す波形図である。
【図５】光源装置の点灯回路で発生するノイズを示すグラフ図である。
【符号の説明】
１，１１  …  筐体、
２，  …  キセノンランプ、
５，１６  …  点灯回路、
８，１２  …  絶縁板、
１４  …  支持体、
１５  …  回路基板、
１８  …  ノイズ除去用コンデンサ、
２０  …  ケース体。
【図１】
0003563868.tif 000002
【図２】
0003563868.tif 000003
【図３】
0003563868.tif 000004
【図４】
0003563868.tif 000005
【図５】
0003563868.tif 000006